(57)【要約】      （修正有）【課題】頭枕と抱き枕の機能を有するｎ字形カバーを提供する。【解決手段】ｎ字形多機能枕はｎ字形カバー１０を備え、ｎ字形カバー１０の２つの角部に仕切層２０がそれぞれ設けられ、仕切層２０がｎ字形カバー１０のキャビティを３つの収納空間に仕切り、３つの収納空間内に柔軟な材料がそれぞれ充填されて頭枕部及び２つの抱き枕部が構成される。当該多機能枕は「コットンずれ現象」を避けることができ、耐用年数が長い。その全体的な強度が高く、使用中、体の背中側にある１つの抱き枕部は体の背中に密着することができる。【選択図】図３
0003215465.tif 000002
【実用新案登録請求の範囲】
【請求項１】
頭枕部（１）及び２つの抱き枕部（２，３）を備えるｎ字形多機能枕であって、
前記ｎ字形多機能枕（１００）はｎ字形カバー（１０）を備え、前記ｎ字形カバーの２つの角部に仕切層（２０）がそれぞれ設けられ、前記仕切層が前記ｎ字形カバーのキャビティを３つの収納空間に仕切り、前記３つの収納空間内に柔軟な材料がそれぞれ充填されて前記頭枕部（１）及び前記２つの抱き枕部（２、３）が構成されることを特徴とする、
ｎ字形多機能枕。
【請求項２】
前記３つの収納空間のうちの少なくとも２つの収納空間に充填される柔軟な材料は異なることを特徴とする、
請求項１に記載のｎ字形多機能枕。
【請求項３】
前記頭枕部を構成する柔軟な材料はメモリーフォームであり、各前記抱き枕部を構成する柔軟な材料は非メモリーフォームの柔軟な材料であることを特徴とする、
請求項１に記載のｎ字形多機能枕。
【請求項４】
前記頭枕部を構成する収納空間の一方側に開口（３０）が設けられ、且つ前記開口に前記開口を開閉する接続構造（４０）が設けられ、前記頭枕部を構成する柔軟な材料（１１）が１つの頭枕カバー内に収容されることを特徴とする、
請求項１に記載のｎ字形多機能枕。
【請求項５】
前記接続構造（４０）はジッパー、面ファスナー、ベルト又はスナップファスナーであることを特徴とする、
請求項４に記載のｎ字形多機能枕。
【請求項６】
前記仕切層（２０）はそこに縫い付けられた布地であることを特徴とする、
請求項１から５のいずれか１項に記載のｎ字形多機能枕。
【考案の詳細な説明】
【技術分野】
【０００１】
本考案は人間の生活用品に関し、より具体的には、頭枕と抱き枕の機能を有するｎ字形多機能枕に関する。
【背景技術】
【０００２】
枕は睡眠道具であり、普通の枕は頭を支える役割しか持たない。
【０００３】
生活レベルの向上に伴って、人々は養生をますます重視している。十分な睡眠により、人々が翌日に良好な精神状態を維持することを確保できる。そこで、頭枕と抱き枕の機能を有するｎ字形多機能枕が開発された。このようなｎ字形多機能枕は、頭枕部と前記頭枕部の両端から同じ側に伸びる２つの抱き枕部からなり、使用時に、側方を向いて横たわった体が２つの抱き枕部の間にあり、頭が前記頭枕部に支持され、２本の腕及び／又は２本の脚は一方の抱き枕部を囲むことができ、反対側に横たわっている場合、頭が依然として前記頭枕部に支持され、２本の腕及び／又は２本の脚が他方の抱き枕部を囲むことができる。言い換えれば、当該二重機能枕は、どの側に横たわっても直接に使用することができ、非常に使いやすい。なお、体の背中側にある抱き枕部は体の背中に密着し、人に安心感を与えることができる。しかしながら、従来のこのような多機能枕には以下の欠陥が存在する。多機能枕は、全体がカバー及び前記カバー内に充填されている柔軟な材料からなり、柔軟な材料がメモリーフォームである場合にはコストが高い。柔軟な材料が普通のコットンである場合には、コストを削減することができるが、使用中、充填されているコットンが抱き枕部と頭枕部との間に移動する、いわゆる「コットンずれ現象」が起こり、変形につながる。
【０００４】
上記ｎ字形多機能枕において、抱き枕部にノッチが設けられるｎ字形多機能枕があり、使用中、ベッドの近くの腕はノッチを通過し、腕に圧力を与えることを避けることができ、より快適に使用することができる。このようなノッチは、実際上「コットンずれ」を抑える役割を果たす。なぜなら、ノッチがその両側の充填体をブロックするからである。しかしながら、ノッチの設置は別の問題を引き起こす。即ち、ノッチ部分の強度が弱すぎ、体の背中側にある抱き枕部は体の背中に密着することができないので、このような多機能枕は人に上記の安心感を与えることができない。
【考案の概要】
【考案が解決しようとする課題】
【０００５】
本考案は、「コットンずれ現象」を避けることができるとともに、使用中に他方の抱き枕部がユーザの背中に密着することができるｎ字形多機能枕を提供することを目的とする。
【課題を解決するための手段】
【０００６】
上記目的を達成するために、本考案は以下の技術的解決手段を用いる。
【０００７】
頭枕部及び２つの抱き枕部を備えるｎ字形多機能枕であって、前記ｎ字形多機能枕はｎ字形カバーを備え、前記ｎ字形カバーの２つの角部に仕切層がそれぞれ設けられ、前記仕切層が前記ｎ字形カバーのキャビティを３つの収納空間に仕切り、前記３つの収納空間内に柔軟な材料がそれぞれ充填されて前記頭枕部及び前記２つの抱き枕部が構成される。
【０００８】
好ましくは、前記３つの収納空間のうちの少なくとも２つの収納空間に充填される柔軟な材料は異なる。
【０００９】
好ましくは、前記頭枕部を構成する柔軟な材料はメモリーフォームであり、各前記抱き枕部を構成する柔軟な材料は非メモリーフォームの柔軟な材料である。
【００１０】
好ましくは、前記頭枕部を構成する収納空間の一方側に開口が設けられ、且つ前記開口に前記開口を開閉する接続構造が設けられ、前記頭枕部を構成する柔軟な材料が１つの頭枕カバー内に収容される。
【００１１】
好ましくは、前記接続構造はジッパー、ベルクロ（登録商標）等の面ファスナー、ベルト、又はスナップファスナーである。
【００１２】
好ましくは、前記仕切層はそこに縫い付けられた布地である。
【００１３】
従来技術に比べて、本考案は少なくとも下記の有益な効果を有する。
【００１４】
耐用年数が長い。仕切層により抱き枕部を構成する柔軟な材料及び頭枕部を構成する柔軟な材料を仕切ることで、「コットンずれ現象」を避け、長期的に元の形状を維持することができる。
【００１５】
頭枕部及び各抱き枕部にはいずれもノッチが設けられないので、全体的な強度を破壊せず、使用中、体の背中側にある抱き枕部は体の背中に密着することができ、ユーザに安心感を与えることができる。
【００１６】
抱き枕部に普通のコットンを充填してもよいので、コストを削減できる。
【図面の簡単な説明】
【００１７】
【図１】いくつかの実施例に係るｎ字形多機能枕の構造模式図である。
【図２】いくつかの実施例におけるｎ字形カバーの模式図である。
【図３】いくつかの実施例におけるｎ字形カバーの一状態の模式図である。
【図４】いくつかの実施例における頭枕部を構成する柔軟な材料の模式図である。
【考案を実施するための形態】
【００１８】
以下、図面及び実施例を参照しながら本考案を更に説明する。
【００１９】
図１に示すように、いくつかの実施例に係るｎ字形多機能枕１００は頭枕部１及び２つの抱き枕部２，３を備える。
【００２０】
前記ｎ字形多機能枕はｎ字形カバー１０を備える。図２及び図３は、ｎ字形カバー１０の構造及び形状を模式的に示す。図２及び図３に示すように、前記ｎ字形カバー１０の形状はｎ字形多機能枕１００の形状と同じ、前記ｎ字形カバー１０の２つの角部に仕切層２０がそれぞれ設けられ、前記仕切層２０が前記ｎ字形カバー１０のキャビティを３つの収納空間に仕切る。前記３つの収納空間内に柔軟な材料がそれぞれ充填された後、前記頭枕部１及び前記２つの抱き枕部２，３がそれぞれ構成される（図１参照）。前記仕切層２０はそこに縫い付けられた布地であってもよいが、これに限らない。
【００２１】
上記仕切層２０により、抱き枕部２，３を構成する柔軟な材料及び頭枕部１を構成する柔軟な材料を仕切ることで、コットン等の充填された柔軟な材料が抱き枕部２，３と頭枕部１との間に移動することを防止することができ、即ち「コットンずれ現象」を避けることができる。したがって、当該ｎ字形多機能枕１００は長期的に元の形状を維持することができ、その耐用年数を延ばすことができる。
【００２２】
同時に、上記頭枕部１及び２つの抱き枕部２，３にはいずれも腕が通過するためのノッチが設けられないので、枕体の全体的な強度が損なわれず、使用中、体の背中側にある抱き枕部は体の背中に密着することができ、ユーザに安心感を与えることができる。
【００２３】
上記仕切層２０を採用した後、普通のコットンを充填しても、「コットンずれ現象」は起こらない。したがって、コストを削減するように、非メモリーフォームの柔軟な材料を充填物としてもよい。前記非メモリーフォームの柔軟な材料は、コットンを含むが、これに限らない。
【００２４】
好ましい実施例として、前記頭枕部１を構成する柔軟な材料はメモリーフォームであり、各前記抱き枕部を構成する柔軟な材料は非メモリーフォームの柔軟な材料であり、前記非メモリーフォーム柔軟な材料はコットンを含むが、これに限らない。
【００２５】
図１、図３及び図４に示すように、前記頭枕部１を構成する収納空間の一方側に開口３０が設けられ、前記開口３０に前記開口３０を開閉する接続構造４０が設けられ、前記頭枕部１を構成する柔軟な材料１１が１つの頭枕カバー内に収容される。この設計により、当該柔軟な材料１１を取り出して、単独で枕として使用することができる。
【００２６】
ここで、接続構造４０は、ジッパー、ベルクロ（登録商標）等の面ファスナー、ベルト、スナップファスナー等の接続構造とされてもよい。
【００２７】
以上、具体的な実施例によって本考案を詳細に説明したが、これらの詳細な説明は当業者に本考案の内容を理解させるためのものに過ぎず、本考案の保護範囲を限定するものとして理解されるべきではない。当業者が本考案の発想で上記技術案に対して行う様々な修正、等価置換等はいずれも本考案の保護範囲内に含まれるべきである。
【図１】
0003215465.tif 000003
【図２】
0003215465.tif 000004
【図３】
0003215465.tif 000005
【図４】
0003215465.tif 000006